【誤訳訂正書】
【提出日】平成15年10月14日(2003.10.14)
【誤訳訂正１】
【訂正対象書類名】特許請求の範囲
【訂正対象項目名】全文
【訂正方法】変更
【訂正の内容】
【特許請求の範囲】
【請求項１】
実質的に平行な第１および第２の端縁ならびに実質的に平行でありかつ実質的に前記端縁と直交する頂部縁および底部縁を有する第１の側部パネルと、
実質的に前記第１の側部パネルの端縁と平行な第１および第２の側縁を有し、かつ実質的に平行な頂部縁および底部縁を有する第１の端部パネルであって、該第１の端部パネルが前記第１の側部パネルから延び、該第１の端部パネルの第１の側縁が前記第１の側部パネルの第２の側縁と結合して、第１の９０度の折り目線を画定し、該第１の端部パネルの頂部縁および底部縁が前記第１の側部パネルの頂部縁および底部縁のそれぞれの延長である第１の端部パネルと、
実質的に前記第１の側部パネルの端縁と平行な第１および第２の端縁を有し、かつ実質的に平行な頂部縁および底部縁を有する第２の側部パネルであって、該第２の側部パネルが前記第１の端部パネルから延び、該第２の側部パネルの第１の端縁が前記第１の端部パネルの第２の側縁と結合して、前記第１の９０度の折り目線と平行な第１の１８０度の折り目線を画定し、該第２の側部パネルの頂部縁および底部縁が前記第１の端部パネルの頂部縁および底部縁のそれぞれの延長である第２の側部パネルと、
実質的に前記第１の側部パネルの端縁と平行な第１および第２の側縁を有し、かつ実質的に平行な頂部縁および底部縁を有する第２の端部パネルであって、該第２の端部パネルが前記第２の側部パネルから延び、該第２の端部パネルの第１の側縁が前記第２の側部パネルの第２の側縁と結合して、第２の９０度の折り目線を画定し、該第２の端部パネルの頂部縁および底部縁が前記第２の側部パネルの頂部縁および底部縁のそれぞれの延長である第２の端部パネルと、
実質的に前記第１の側部パネルの頂部縁と平行な第１および第２の側縁を有し、かつ実質的に平行な第１および第２の端縁を有する第１の頂部パネルであって、該第１の頂部パネルが前記第１の側部パネルから延び、該第１の頂部パネルの第１の側縁が前記第１の側部パネルの頂部縁と結合して、第３の９０度の折り目線を画定し、該第１の頂部パネルの第１および第２の端縁が前記第１の側部パネルの第１および第２の端縁のそれぞれの延長である第１の頂部パネルと、
実質的に前記第１の側部パネルの底部縁と平行な第１および第２の側縁を有し、かつ実質的に平行な第１および第２の端縁を有する第１の底部パネルであって、該第１の底部パネルが前記第１の側部パネルから延び、該第１の底部パネルの第１の側縁が前記第１の側部パネルの底部縁と結合して、第４の９０度の折り目線を画定し、該第１の底部パネルの第１および第２の端縁が前記第１の側部パネルの第１および第２の端縁のそれぞれの延長である第１の底部パネルと、
実質的に前記第１の端部パネルの頂部縁と平行な第１および第２の端縁を有し、かつ実質的に平行な第１および第２の側縁を有する第１の折込みパネルであって、該第１の折込みパネルが前記第１の端部パネルから延び、該第１の折込みパネルの第１の端縁が前記第１の端部パネルの頂部縁と結合して、第５の９０度の折り目線を画定し、該第１の折込みパネルの側縁が前記第１の端部パネルの第１および第２の側縁のそれぞれの延長であり、かつ該第１の折込みパネルの第１の側縁が前記第１の頂部パネルの第２の端縁と結合して、第２の１８０度の折り目線を画定する第１の折込みパネルと、
実質的に前記第１の端部パネルの底部縁と平行な第１および第２の端縁を有し、かつ実質的に平行な第１および第２の側縁を有する第２の折込みパネルであって、該第２の折込みパネルが前記第１の端部パネルから延び、該第２の折込みパネルの第１の端縁が前記第１の端部パネルの底部縁と結合して、第６の９０度の折り目線を画定し、該第２の折込みパネルの第１および第２の側縁が前記第１の端部パネルの第１および第２の側縁のそれぞれの延長であり、かつ該第２の折込みパネルの第１の側縁が前記第１の底部パネルの第２の端縁と結合して、第３の１８０度の折り目線を画定する第２の折込みパネルと、
実質的に前記第２の側部パネルの頂部縁と平行な第１および第２の側縁を有し、かつ実質的に平行な第１および第２の端縁を有する第２の頂部パネルであって、該第２の頂部パネルが前記第２の側部パネルから延び、該第２の頂部パネルの第１の側縁が前記第２の側部パネルの頂部縁と結合して、第７の９０度の折り目線を画定し、該第２の頂部パネルの第１および第２の端縁が前記第２の側部パネルの第１および第２の端縁のそれぞれの延長であり、かつ該第２の頂部パネルの第１の端縁が前記第１の折込みパネルの第２の側縁と結合して、第４の１８０度の折り目線を画定する第２の頂部パネルと、
実質的に前記第２の側部パネルの底部縁と平行な第１および第２の側縁を有し、かつ実質的に平行な第１および第２の端縁を有する第２の底部パネルであって、該第２の底部パネルが前記第２の側部パネルから延び、該第２の底部パネルの第１の側縁が前記第２の側部パネルの底部縁と結合して、第８の９０度の折り目線を画定し、該第２の底部パネルの第１および第２の端縁が前記第２の側部パネルの第１および第２の端縁のそれぞれの延長であり、かつ該第２の底部パネルの第１の端縁が前記第２の折込みパネルの第２の側縁と結合して、第５の１８０度の折り目線を画定する第２の底部パネルと、
実質的に前記第２の端部パネルの頂部縁と平行な第１および第２の端縁を有し、かつ実質的に平行な第１および第２の側縁を有する第３の折込みパネルであって、該第３の折込みパネルが前記第２の端部パネルから延び、該第３の折込みパネルの第１の端縁が前記第２の端部パネルの頂部縁と結合して、第９の９０度の折り目線を画定し、該第３の折込みパネルの第１および第２の側縁が前記第２の端部パネルの第１および第２の側縁のそれぞれの延長であり、かつ該第３の折込みパネルの第１の側縁が前記第２の頂部パネルの第２の端縁と結合して、第６の１８０度の折り目線を画定する第３の折込みパネルと、
実質的に前記第２の端部パネルの底部縁と平行な第１および第２の端縁を有し、かつ実質的に平行な第１および第２の側縁を有する第４の折込みパネルであって、該第４の折込みパネルが前記第２の端部パネルから延び、該第４の折込みパネルの第１の端縁が前記第２の端部パネルの底部縁と結合して、第１０の９０度の折り目線を画定し、該第４の折込みパネルの第１および第２の側縁が前記第２の端部パネルの第１および第２の側縁のそれぞれの延長であり、かつ該第４の折込みパネルの第１の側縁が前記第２の底部パネルの第２の端縁と結合して、第７の１８０度の折り目線を画定する第４の折込みパネル
とからなり、
各折込みパネルが、該パネルの第２の端縁上の該パネルの第１の側縁と第２の側縁とのあいだの実質的に中間の点から、該パネルの第１の端縁と第１および第２側縁との交差点へ延びる１８０度の折り目線を有し、
各１８０度の折り目線が、該１８０度の折り目線の第１の端部から延びる第１の圧縮された領域と、該１８０度の折り目線の第２の端部から延びる第２の圧縮された領域と、該第１および第２の圧縮された領域を結合するスリットとからなる、箱体を製造するための半加工品。
【請求項２】
前記半加工品を箱体として封止するための封止帯をさらに備えた請求項１記載の半加工品。
【請求項３】
各圧縮された領域が、前記折れ線を画定するために、当該圧縮された領域と反対側の半加工品の表面から延びる突起を備えた請求項１記載の半加工品。
【請求項４】
各圧縮された領域が楕円形状である請求項１記載の半加工品。
【請求項５】
前記半加工品が段ボールである請求項１記載の半加工品。
【請求項６】
請求項１の半加工品から組み立てられた箱体。
【請求項７】
同様の半加工品と結合されることで箱体を製造する半加工品であって、
実質的に平行な第１および第２の端縁ならびに実質的に平行でありかつ実質的に前記端縁と直交する頂部縁および底部縁を有する側部パネルと、
実質的に前記側部パネルの端縁と平行な第１および第２の側縁を有し、かつ実質的に平行な頂部縁および底部縁を有する端部パネルであって、該端部パネルが前記側部パネルから延び、該端部パネルの第１の側縁が前記側部パネルの第２の側縁と結合して、第１の９０度の折り目線を画定し、該端部パネルの頂部縁および底部縁が前記側部パネルの頂部縁および底部縁のそれぞれの延長である端部パネルと、
実質的に前記側部パネルの頂部縁と平行な第１および第２の側縁を有し、かつ実質的に平行な第１および第２の端縁を有する頂部パネルであって、該頂部パネルが前記側部パネルから延び、該頂部パネルの第１の側縁が前記側部パネルの頂部縁と結合して、第２の９０度の折り目線を画定し、該頂部パネルの第１および第２の端縁が前記側部パネルの第１および第２の端縁のそれぞれの延長である頂部パネルと、
実質的に前記側部パネルの底部縁と平行な第１および第２の側縁を有し、かつ実質的に平行な第１および第２の端縁を有する底部パネルであって、該底部パネルが前記側部パネルから延び、該底部パネルの第１の側縁が前記側部パネルの底部縁と結合して、第３の９０度の折り目線を画定し、該底部パネルの第１および第２の端縁が前記側部パネルの第１および第２の端縁のそれぞれの延長である底部パネルと、
実質的に前記端部パネルの頂部縁と平行な第１および第２の端縁を有し、かつ実質的に平行な第１および第２の側縁を有する第１の折込みパネルであって、該第１の折込みパネルが前記端部パネルから延び、該第１の折込みパネルの第１の端縁が前記端部パネルの頂部縁と結合して、第４の９０度の折り目線を画定し、該第１の折込みパネルの第１および第２の側縁が前記端部パネルの第１および第２の側縁のそれぞれの延長であり、かつ該第１の折込みパネルの第１の側縁が前記頂部パネルの第２の端縁と結合して、第１の１８０度の折り目線を画定する第１の折込みパネルと、
実質的に前記端部パネルの底部縁と平行な第１および第２の端縁を有し、かつ実質的に平行な第１および第２の側縁を有する第２の折込みパネルであって、該第２の折込みパネルが前記端部パネルから延び、該第２の折込みパネルの第１の端縁が前記端部パネルの底部縁と結合して、第５の９０度の折り目線を画定し、該第２の折込みパネルの第１および第２の側縁が前記端部パネルの第１および第２の側縁のそれぞれの延長であり、かつ該第２の折込みパネルの第１の側縁が前記底部パネルの第２の端縁と結合して、第２の１８０度の折り目線を画定する第２の折込みパネル
とからなり、
各折込みパネルが、該パネルの第２の端縁上の該パネルの第１の側縁と第２の側縁とのあいだの実質的に中間の点から、該パネルの第１の端縁と第１および第２側縁との交差点へ延びる１８０度の折り目線を有し、
各１８０度の折り目線が、該１８０度の折り目線の第１の端部から延びる第１の圧縮された領域と、該１８０度の折り目線の第２の端部から延びる第２の圧縮された領域と、該第１および第２の圧縮された領域を結合するスリットとからなる、箱体を製造するための半加工品。
【請求項８】
前記半加工品を箱体として封止するための封止帯をさらに備えた請求項７記載の半加工品。
【請求項９】
各圧縮された領域が、前記折れ線を画定するために、当該圧縮された領域と反対側の半加工品の表面から延びる突起を備えた請求項７記載の半加工品。
【請求項１０】
各圧縮された領域が楕円形状である請求項７記載の半加工品。
【請求項１１】
前記半加工品が段ボールである請求項７記載の半加工品。
【請求項１２】
一対の請求項７の半加工品から組み立てられた箱体。
【請求項１３】
底部表面、該底部表面の第１および第２の側部からそれぞれ上方へ延びる第１および第２の側部表面、前記底部表面の第１および第２の側部からそれぞれ上方へ延び、前記第１および第２の側部表面の対向する端部を橋渡しする第１および第２の端部表面、前記第１および第２の側部表面それぞれから上方へ延びる第１および第２の頂部パネル、および前記第１および第２の端部表面それぞれから上方へ延び、前記第１および第２の頂部パネルの対向する端部を橋渡しする第１および第２の折込みパネルを有する箱体を閉止する方法であって、
２本のアームを有し、各アームが第１および第２の端部を有し、第１のアーム端部がＶ字形状の広い端部を形成するために離間し、第２のアーム端部がＶ字形状の先端を形成するために一緒に連結された実質的にＶ字形状のセンタリング部材であって、アームのあいだにセンタリング部材の中央開口を有し、該センタリング部材の広い端部が移動経路の上に回転自在に取り付けられ、センタリング部材の先端が移動経路に向かって吊り下がる、実質的にＶ字形状のセンタリング部材の中央開口の下の移動経路を提供し、
前記箱体を、前記移動経路に沿って、前記センタリング部材の中央開口を通して、前記広い端部から狭い端部へ向けて進行させて、前記アームを箱体の頂部パネルに接触させ、該頂部パネルを箱体の上に折り曲げ、箱体の折込みパネルを内側へ前記頂部パネルの下に折り曲げ、それにより箱体を閉じる箱体を閉止する方法。
【請求項１４】
前記移動経路が実質的にＶ字形状の第２のセンタリング部材の中央開口の下に延び、該第２のセンタリング部材が、２本のアームを有し、該第２のセンタリング部材の各アームが第１および第２の端部を有し、該第２のセンタリング部材の第１のアーム端部が該第２のセンタリング部材のＶ字形状の広い端部を形成するために離間し、該第２のセンタリング部材の第２のアーム端部が該第２のセンタリング部材のＶ字形状の先端を形成するために一緒に連結され、該第２のセンタリング部材のアームのあいだの第２のセンタリング部材の中央開口を有し、該第２のセンタリング部材の広い端部が延長された移動経路の上に回転自在に取り付けられ、該第２のセンタリング部材の先端が延長された移動経路に向かって吊り下がり、該第２のセンタリング部材が、さらに、該第２のセンタリング部材の中央開口の上に回転自在に取り付けられた第１の端部および前記移動経路に吊り下がる第２の端部を有する封止アームを備え、さらに封止材分与手段を有し、さらに、
閉じられた箱体を延長された移動経路に沿って第２のセンタリング部材の中央開口を通して進行させて、封止材分与手段に封止材を前記頂部パネルの隣接する縁に分与し、第１および第２の頂部パネルを封止し、閉じられた箱体を封止する請求項１３記載の方法。
【請求項１５】
底部表面、該底部表面の第１および第２の側部からそれぞれ上方へ延びる第１および第２の側部表面、前記底部表面の第１および第２の側部からそれぞれ上方へ延び、前記第１および第２の側部表面の対向する端部を橋渡しする第１および第２の端部表面、前記第１および第２の側部表面それぞれから上方へ延びる第１および第２の頂部パネル、および前記第１および第２の端部表面それぞれから上方へ延び、前記第１および第２の頂部パネルの対向する端部を橋渡しする第１および第２の折込みパネルを有する箱体を閉止する装置であって、
移動経路を画定する手段と、
２本のアームを有し、各アームが第１および第２の端部を有し、第１のアーム端部がＶ字形状の広い端部を形成するために離間し、第２のアーム端部がアームのあいだに中央開口を有するＶ字形状の先端を形成するために一緒に連結された実質的にＶ字形状のセンタリング部材と、
前記移動経路の上で前記センタリング部材の広い端部を回転自在に取り付けて、前記センタリング部材の先端を該移動経路に向けて吊り下げるための手段
とからなる箱体を閉止するための装置。
【請求項１６】
実質的にＶ字形状の第２のセンタリング部材であって、該第２のセンタリング部材が、２本のアームを有し、該第２のセンタリング部材の各アームが第１および第２の端部を有し、該第２のセンタリング部材の第１のアーム端部が該第２のセンタリング部材のＶ字形状の広い端部を形成するために離間し、該第２のセンタリング部材の第２のアーム端部が該第２のセンタリング部材のＶ字形状の先端を形成するために一緒に連結され、該第２のセンタリング部材のアームのあいだの中央開口を有する第２のセンタリング部材と、
該第２のセンタリング部材の広い端部を前記移動経路の上に回転自在に取り付け、該第２のセンタリング部材の先端を移動経路に向かって吊り下げる手段と、
封止アームと、
前記封止アームの第２の端部に取り付けられた封止材分与手段
とをさらに備えてなる請求項１５記載の装置。
【請求項１７】
一対の半加工品から箱体を組み立てる方法であって、各半加工品が、実質的に平行な第１および第２の端縁ならびに実質的に平行でありかつ実質的に前記端縁と直交する頂部縁および底部縁を有する側部パネルと、実質的に前記側部パネルの端縁と平行な第１および第２の側縁を有し、かつ実質的に平行な頂部縁および底部縁を有する端部パネルであって、該端部パネルが前記側部パネルから延び、該端部パネルの第１の側縁が前記側部パネルの第２の側縁と結合して、第１の９０度の折り目線を画定し、該端部パネルの頂部縁および底部縁が前記側部パネルの頂部縁および底部縁のそれぞれの延長である端部パネルと、実質的に前記側部パネルの頂部縁と平行な第１および第２の側縁を有し、かつ実質的に平行な第１および第２の端縁を有する頂部パネルであって、該頂部パネルが前記側部パネルから延び、該頂部パネルの第１の側縁が前記側部パネルの頂部縁と結合して、第２の９０度の折り目線を画定し、該頂部パネルの第１および第２の端縁が前記側部パネルの第１および第２の端縁のそれぞれの延長である頂部パネルと、実質的に前記側部パネルの底部縁と平行な第１および第２の側縁を有し、かつ実質的に平行な第１および第２の端縁を有する底部パネルであって、該底部パネルが前記側部パネルから延び、該底部パネルの第１の側縁が前記側部パネルの底部縁と結合して、第３の９０度の折り目線を画定し、該底部パネルの第１および第２の端縁が前記側部パネルの第１および第２の端縁のそれぞれの延長である底部パネルと、実質的に前記端部パネルの頂部縁と平行な第１および第２の端縁を有し、かつ実質的に平行な第１および第２の側縁を有する第１の折込みパネルであって、該第１の折込みパネルが前記端部パネルから延び、該第１の折込みパネルの第１の端縁が前記端部パネルの頂部縁と結合して、第４の９０度の折り目線を画定し、該第１の折込みパネルの側縁が前記端部パネルの第１および第２の側縁のそれぞれの延長であり、かつ該第１の折込みパネルの第１の側縁が前記頂部パネルの第２の端縁と結合して、第１の１８０度の折り目線を画定する第１の折込みパネルと、実質的に前記端部パネルの底部縁と平行な第１および第２の端縁を有し、かつ実質的に平行な第１および第２の側縁を有する第２の折込みパネルであって、該第２の折込みパネルが前記端部パネルから延び、該第２の折込みパネルの第１の端縁が前記端部パネルの底部縁と結合して、第５の９０度の折り目線を画定し、該第２の折込みパネルの第１および第２の側縁が前記端部パネルの第１および第２の側縁のそれぞれの延長であり、かつ該第２の折込みパネルの第１の側縁が前記底部パネルの第２の端縁と結合して、第２の１８０度の折り目線を画定する第２の折込みパネルとからなり、各折込みパネルが、該パネルの第２の端縁上の該パネルの第１の側縁と第２の側縁とのあいだの実質的に中間の点から、該パネルの第１の端縁と第１および第２側縁との交差点へ延びる１８０度の折り目線を有し、半加工品が互いに重なり、一方の半加工品の端部パネルが他方の半加工品の部分に重なり、該他方の半加工品の側部パネルに結合され、一方の半加工品の折込みパネルが他方の半加工品の部分に重なり、該他方の半加工品の頂部および底部パネルに結合され、結合されたパネルがさらに１８０度の折り目線を画定し、前記方法が、
一方の前記半加工品の端部パネルに隣接するストッパ部材を用いて、半加工品を組立表面上に位置決めし、
前記半加工品を前記ストッパ部材に相対する第１の方向へ進行させて、半加工品に第１の９０度の折り目線上で９０度折り曲げ、第２および第４の折込みパネルの１８０度の折り目線上で１８０度の折曲げを形成し、ついで、
２枚の半加工品の底部パネルを一緒に封止する
ことを含む、一対の半加工品から箱体を組み立てる方法。
【請求項１８】
一対の半加工品から箱体を組み立てる装置であって、各半加工品が、実質的に平行な第１および第２の端縁ならびに実質的に平行でありかつ実質的に前記端縁と直交する頂部縁および底部縁を有する側部パネルと、実質的に前記側部パネルの端縁と平行な第１および第２の側縁を有し、かつ実質的に平行な頂部縁および底部縁を有する端部パネルであって、該端部パネルが前記側部パネルから延び、該端部パネルの第１の側縁が前記側部パネルの第２の側縁と結合して、第１の９０度の折り目線を画定し、該端部パネルの頂部縁および底部縁が前記側部パネルの頂部縁および底部縁のそれぞれの延長である端部パネルと、実質的に前記側部パネルの頂部縁と平行な第１および第２の側縁を有し、かつ実質的に平行な第１および第２の端縁を有する頂部パネルであって、該頂部パネルが前記側部パネルから延び、該頂部パネルの第１の側縁が前記側部パネルの頂部縁と結合して、第２の９０度の折り目線を画定し、該頂部パネルの第１および第２の端縁が前記側部パネルの第１および第２の端縁のそれぞれの延長である頂部パネルと、実質的に前記側部パネルの底部縁と平行な第１および第２の側縁を有し、かつ実質的に平行な第１および第２の端縁を有する底部パネルであって、該底部パネルが前記側部パネルから延び、該底部パネルの第１の側縁が前記側部パネルの底部縁と結合して、第３の９０度の折り目線を画定し、該底部パネルの第１および第２の端縁が前記側部パネルの第１および第２の端縁のそれぞれの延長である底部パネルと、実質的に前記端部パネルの頂部縁と平行な第１および第２の端縁を有し、かつ実質的に平行な第１および第２の側縁を有する第１の折込みパネルであって、該第１の折込みパネルが前記端部パネルから延び、該第１の折込みパネルの第１の端縁が前記端部パネルの頂部縁と結合して、第４の９０度の折り目線を画定し、該第１の折込みパネルの側縁が前記端部パネルの第１および第２の側縁のそれぞれの延長であり、かつ該第１の折込みパネルの第１の側縁が前記頂部パネルの第２の端縁と結合して、第１の１８０度の折り目線を画定する第１の折込みパネルと、実質的に前記端部パネルの底部縁と平行な第１および第２の端縁を有し、かつ実質的に平行な第１および第２の側縁を有する第２の折込みパネルであって、該第２の折込みパネルが前記端部パネルから延び、該第２の折込みパネルの第１の端縁が前記端部パネルの底部縁と結合して、第５の９０度の折り目線を画定し、該第２の折込みパネルの側縁が前記端部パネルの第１および第２の側縁のそれぞれの延長であり、かつ該第２の折込みパネルの第１の側縁が前記底部パネルの第２の端縁と結合して、第２の１８０度の折り目線を画定する第２の折込みパネルとからなり、各折込みパネルが、該パネルの第２の端縁上の該パネルの第１の側縁と第２の側縁とのあいだの実質的に中間の点から、該パネルの第１の端縁と第１および第２側縁との交差点へ延びる１８０度の折り目線を有し、前記装置が、
一方の半加工品の端部パネルが他方の半加工品の部分に重なり、該他方の半加工品の側部パネルに結合され、一方の半加工品の折込みパネルが他方の半加工品の部分に重なり、該他方の半加工品の頂部および底部パネルに結合され、結合されたパネルがさらに１８０度の折り目線を画定する状態で、前記半加工品を支持する組立表面と、
該組立表面上のストッパ部材と、
前記半加工品を前記ストッパ部材に相対する第１の方向へ進行させて、半加工品に第１の９０度の折り目線、第１および第２の１８０度の折り目線およびさらなる１８０度の折り目線の上で９０度の折曲げを形成する第１のアクチュエータと、
重なっている前記半加工品の頂部パネルおよび底部パネルの下に吸引を与えるための真空源と、
前記真空源の吸引が一方のパネルを実質的に静止させ続けるあいだに前記半加工品を前記第１の方向と直交する方向へ進行させて、半加工品に第２および第３の９０度の折り目線上で９０度の折曲げを形成し、折込みパネルの１８０度の折り目線の上および該折込みパネルを頂部および底部パネルに結合させる折れ線の上で１８０度の折曲げを形成する第２のアクチュエータと、
２枚の半加工品の底部パネルを一緒に封止するための封止機構
とからなる、一対の半加工品から箱体を組み立てる装置。
【誤訳訂正２】
【訂正対象書類名】明細書
【訂正対象項目名】全文
【訂正方法】変更
【訂正の内容】
【発明の詳細な説明】
【発明の名称】箱体、ならびに箱体を作製するための半加工品、方法および装置
【技術分野】
【０００１】
本発明は、箱体（carton）、箱体を生産するための半加工品（blank）、ならびに箱体を組み立て、閉じて、封止する方法および装置に関する。さらに詳しくは、本発明は、速やかにおよび自動的に組み立てられ、詰めたあとに速やかにおよび自動的に閉じられ、封止される箱体に関する。本発明は、さらに、異なった寸法に対応する装置の調整なしに異なった寸法の箱体を組み立て、閉じて、および封止するための方法ならびに装置に関する。本発明は、とくに段ボール製の箱体に適しているが、それに限られない。それゆえに、以下の記述および図面は段ボールの箱体について言及しているが、本発明は、他の材料の箱体にも適用できる。
【背景技術】
【０００２】
数多くの業界は多量の製品を輸送し、輸送のあいだ製品を保持するための箱体、とくに段ボールの箱体を利用する必要がある。その結果、そのような業界は輸送用の箱体を速やかに組み立て、詰めこみ、閉じて、および封止できることを望んでいる。図１は、側面１２および端面１４を有する典型的な従来技術の箱体１０を示している。箱体１０はまた、底面（図示せず）を含んでいる。蓋パネル１６は、側面１２から上方へ延びている。一方、密閉パネル１８は、端面１４から上方へ延びている。図２は、箱体１０が組み立てられる箱体の半加工品２０を表している。箱体の半加工品２０は、図１に示されているパネル１２から１８を含んでおり、また頂部パネル１６および１８にそれぞれ対応している底部パネル２２および２４を含んでいる。好ましくは、箱体の半加工品２０はまた、図２に示されている最も外側の端部パネル１４のような一つのパネルから延びている封止帯２６を含んでいる。そのため、箱体が組み立てられたときに、帯２６は、図１に示されているように隣接した側部パネル１２に封止され得る。必要な折り曲げを可能にするためには、パネル１６および１８は、細長い隙間１９によって切り離す必要があり、同様にパネル２２および２４もまた細い隙間２５によって切り離される必要がある。その結果、半加工品２０からは時間を浪費し費用がかかる。
【０００３】
半加工品から箱体２０を組み立てることは、パネル２２および２４を内側に９０度折り曲げ、パネル１２および１４の接合部で９０度の折り目をつくり、二つの底部パネル２２の接合部を封止し、および封止帯２６と隣接するパネルを封止することを必要とする。いくつかの折り目は連続して付けられなくてはならず、多大な時間を必要とする。
【０００４】
箱体１０に製品が詰められるとすぐに、パネル１８は、これらの製品の上に横たわるように内側に折りたたまれる。そして、そのあとに、パネル１６が箱体を閉めるためにパネル１８および製品の上に折りたたまれる。箱体はそのとき、たとえば２つのパネル１６の接合部に沿ってテープを付与することによって封止され得る。図３は、結果として生じる封止された箱体１０である。４つの切り離された蓋パネル１６、１８はそれぞれ折り曲げられる必要があり、パネル１６が折り曲げられる前にパネル１８が折り曲げられる。結果として、箱体１０を閉じるのに多大な時間が必要である。二つの頂部パネル１６の接合部はそのとき封止される必要がある。
【０００５】
これらのさまざまな操作が機械化される可能性があるが、いまだに多くのステップが時間を浪費する操作になっている。さらに、異なった寸法の箱体は、その操作を機械化するためには異なった装置寸法を必要とする。このことは、異なった箱体の寸法のための異なった装置か、寸法を調節できる装置、つまり箱体の寸法が変わるごとに寸法の調節を必要とする装置のどちらかを必要とする。時間を浪費することに加えて、これらの問題解決の方法は費用がかかる。
【０００６】
図９は、側部パネル３２、５２および側部パネルをつなぐ端部パネル４２、６２を有する箱体１６２を表している。第１および第２の頂部パネル７２、１１２は側部パネル３２、５２から上方へ延びている。一方、第１および第２の折り込み式パネル９２、１３２は、端部パネル４２、６２から延びていて頂部パネルを橋渡ししている。パネル７２、９２、１１２、および１３２はそれぞれの側部パネルおよび端部パネル３２、４２、５２、６２と９０度の折り目線７４、９４、１１４、および１３４によって接合されている。それぞれの折り込みパネル９２、１３２は、折り目線９４、１３４の反対側のパネル上端の実質的に中央の一点から、折り目線９４、１３４の両端でのパネル９２、１３２の角まで延びている一対の折り目線１５２を有している。パネル７２、９２、１１２または１３２のいずれかへの圧力は、図１０および１１で示されているように、折り込み式パネルが折り目線９４、１３４で内側に折り曲げられ、それぞれの折り目線１５２で１８０度折り曲げを形成し、頂部パネル７２、１１２が箱体１６２の上端で折り畳まれる。このような圧力を連続して加えると、図１２に示されているように箱体１６２は閉じた状態になる。
【０００７】
それぞれの折り目線１５２で１８０度の折り曲げを作ることの必要性は、このタイプの箱体の適用を制限してきた。例として、米国特許第２，４３９，４３５号明細書には、防湿包装のために使用される箱体が記載されている。しかしながら、必要である１８０度折り曲げを可能にするために、この発明の箱体は板紙でできている。米国特許第５，１４３，２８１号明細書には、防水包装を与えるためにホイル（foil）を有する厚紙からできている箱体が記載されている。米国特許第５，０７８，３１５号明細書にも同様に１８０度折り曲げを有する防水包装が記載されている。この包装は、紙、プラスチックからできており、アルミホイルの薄板からも可能である。米国特許第２，８１０，５０６号明細書には、シート材料からできた１８０度折り曲げを有する箱体が記載されている。米国特許第５，０５６，７０７号明細書には同様に、防水を可能にするために熱可塑性物質で表面を覆ったシート材料でできた箱体が記載されている。すべての薄い材料は速やかに１８０度に折り曲げられ得る。しかしながら、このような薄い材料でできた箱体は、輸送で使用される頑丈な箱体には不適当である。
【０００８】
米国特許第９１５，５７９号明細書には、段ボール材料からできており、かつ端部の折り蓋で１８０度折り曲げが使われている輸送容器が記載されている。しかしながら、端面の折り蓋は、そのような折り曲げを可能にするために最初につぶされる。これは、もちろん、波状部分を破壊し、および材料を弱める。米国特許第２，９２６，７７７号明細書にもまた、段ボール材料からできていて１８０度折り曲げを有する輸送容器を記載されている。しかしながら、段ボール材料にそのような折りたたみを可能にするために、その折り目線は刻み目が付けられている。これは、波状にする作用を奏し、材料を弱める。
【発明の開示】
【０００９】
第１の態様では、本発明は、折曲げを容易に行なうように独自に形成された折り目線上で１８０度折り曲げる折込みパネルによって接合された頂部パネルを含む段ボール製の箱体である。第２の態様では、本発明は、そのような段ボール製の箱体を製造するための半加工品である。さらに、本発明の態様は、段ボール製の箱体を組み立て、閉じて、封止するための方法および装置である。箱体半加工品は、それぞれの端部における圧縮された領域、および該圧縮された領域を結合するスリット含む１８０度の折り目線を有する。箱体を組み立てるための装置は、箱体を組み立てる際に静止状態に保つための真空源を含む。箱体閉止装置は、箱体の寸法にかかわらず箱体の頂部を閉じるＶ形部材を含む。箱体を封止するための装置は、第２のＶ形部材、および封止ホイールを箱体に接触せしめるために回転自在に吊るされた封止アームを有する。箱体は、所望であれば、手作業で組み立てられ、閉じられ、そして封止され得る。そのような手作業の動作は、本発明の箱体を用いれば、図１の従来の箱体を用いるよりもより速やかになされる。箱体を閉じるすべてパネルは、該パネルのいずれか１つのパネルを単に押すだけによって、同時に所定の位置に折り込まれ得る。
【発明を実施するための最良の形態】
【００１０】
図４は本発明に関連する箱体が組み立てられ得る箱体半加工品（carton blank）３０の好ましい実施の形態を示す。半加工品３０は、第１の端縁３４、第２の端縁３６、頂部縁３８および底部縁４０を有する第１の側部パネル３２を含む。端縁３４および３６は、互いに実質的に平行であり、一方、頂部縁３８および底部縁４０は、互いに実質的に平行であり、縁３４および３６と実質的に直交している。半加工品３０は、さらに第１の側縁４４、第２の側縁４６、頂部縁４８および底部縁５０を有する第１の端部パネル４２を含む。箱体半加工品３０は、また、第１の端縁５４、第２の端縁５６、頂部縁５８および底部縁６０を有する第２の側部パネル５２を含む。箱体３０は、さらに第１の側縁６４、第２の側縁６６、頂部縁６８および底部縁７０を有する第２の端部パネル６２を含む。縁４６、５４、５６、６４および６６は、縁３４と実質的に平行であり、一方、縁４８、５８および６８は、縁３８の延長であり、縁５０、６０および７０は、縁４０の延長である。
【００１１】
箱体半加工品３０は、第１の側縁７４、第２の側縁７６、第１の端縁７８および第２の端縁８０を有する第１の頂部パネル７２を含む。縁７４および７６は、縁３８と平行であり、縁７８および８０は、それぞれ縁３４および３６の延長である。箱体半加工品３０は、第１の側縁８４、第２の側縁８６、第１の端縁８８および第２の端縁９０を有する第１の底部パネル８２を含む。縁８４および８６は、縁３８と平行であり、一方、縁８８および９０は、それぞれ縁３４および３６の延長である。箱体半加工品３０は、また、第１の端縁９４、第２の端縁９６、第１の側縁９８および第２の側縁１００を有する第１の折込みパネル９２を含む。縁９４および９６は、それぞれ縁７４および７６の延長であり、一方、縁９８および１００は、それぞれ縁４４および４６の延長である。箱体半加工品３０は、第１の端縁１０４、第２の端縁１０６、第１の側縁１０８および第２の側縁１１０を有する第２の折込みパネル１０２を含む。縁１０４および１０６は、それぞれ縁８４および８６の延長であり、一方、縁１０８および１１０は、それぞれ縁４４および４６の延長である。箱体半加工品３０は、第１の側縁１１４、第２の側縁１１６、第１の端縁１１８および第２の端縁１２０を有する第２の頂部パネル１１２を含む。縁１１４および１１６は、それぞれ縁９４および９６の延長であり、一方、縁１１８および１２０は、それぞれ縁５４および５６の延長である。箱体半加工品３０は、第１の側縁１２４、第２の側縁１２６、第１の端縁１２８および第２の端縁１３０を有する第２の底部パネル１２２を含む。縁１２４および１２６は、それぞれ縁１０４および１０６の延長であり、一方、縁１２８および１３０は、それぞれ縁５４および５６の延長である。箱体半加工品は、追加として、第１の端縁１３４、第２の端縁１３６、第１の側縁１３８および第２の側縁１４０を有する第３の折込みパネル１３２を含む。縁１３４および１３６は、それぞれ縁１１４および１１６の延長であり、一方、縁１３８および１４０は、それぞれ縁６４および６６の延長である。箱体半加工品３０は、第１の端縁１４４、第２の端縁１４６、第１の側縁１４８および第２の側縁１５０を有する第４の折込みパネル１４２を含む。縁１４４および１４６は、それぞれ縁１２４および１２６の延長であり、一方、縁１４８および１５０は、それぞれ縁６４および６６の延長である。
【００１２】
第１の端部パネル４２は、第１の側部パネル３２から延び、第１の端部パネル４２の第１の側縁４４が第１の側部パネル３２の第２の側縁３６と結合して、９０度の折り目線を画定する。第２の側部パネル５２は、第１の端部パネル４２から延び、第１の端縁５４が第２の側縁４６と結合して、１８０度の折り目線を画定する。第２の端部パネル６２は、第２の側部パネル５２から延び、第１の側縁６４が第２の端縁５６と結合して、９０度の折り目線を画定する。第１の頂部パネル７２は、第１の側部パネル３２から延び、第１の側縁７４が頂部縁３８と結合して、９０度の折り目線を画定する。第１の底部パネル８２は、第１の側部パネル３２から延び、第１の側縁８４が底部縁４０と結合して、９０度の折り目線を画定する。第１の折込みパネル９２は、第１の端部パネル４２から延び、第１の端縁９４が頂部縁４８と結合して９０度の折り目線を画定し、かつ第１の側縁９８が第２の端縁８０と結合して１８０度の折り目線を画定する。第２の折込みパネル１０２は、第１の端部パネル４２から延び、第１の端縁１０４が底部縁５０と結合して９０度の折り目線を画定し、かつ第１の側縁１０８が第２の端縁９０と結合して１８０度の折り目線を画定する。第２の頂部パネル１１２は、第２の側部パネル５２から延び、第１の側縁１１４が頂部縁５８と結合して９０度の折り目線を画定し、かつ第１の端縁１１８が第１の折込みパネル９２の第２の側縁１００と結合して１８０度の折り目線を画定する。第２の底部パネル１２２は、第２の側部パネル５２から延び、第１の側縁１２４が底部縁６０と結合して９０度の折り目線を画定し、かつ第１の端縁１２８が第２の折込みパネル１０２の第２の側縁１１０と結合して１８０度の折り目線を画定する。第３の折込みパネル１３２は、第２の端部パネル６２から延び、第１の端縁１３４が頂部縁６８と結合して９０度の折り目線を画定し、かつ第１の側縁１３８が頂部パネル１１２の第２の端縁１２０と結合して１８０度の折り目線を画定する。第４の折込みパネル１４２は、第２の端部パネル６２から延び、第１の端縁１４４が底部縁７０と結合して９０度の折り目線を画定し、かつ第１の側縁１４８が底部パネル１２２の第２の端縁１３０と結合して１８０度の折り目線を画定する。
【００１３】
各折込みパネル９２、１０２、１３２および１４２は、該パネルの第２の端縁９６、１０６、１３６、１４６上の該パネルの第１の側縁と第２の側縁とのあいだの実質的に中間の点から、該パネルの第１の端縁９４、１０４、１３４、１４４の交差点へ、第１の端縁と第１および第２側縁との交差点へ、延びる一対の１８０度の折り目線１５２を含む。
【００１４】
好ましくは、箱体半加工品３０は、また、たとえば、図４に示されるように、第３の折込みパネル１３２、第２の端部パネル６２および第４の折込みパネル１４２から延びる封止帯１５４を含む。封止帯１５４は、縁６８と１３４、および縁７０と１４４によって画定された９０度の折り目線の延長である折れ線を含む。箱体半加工品３０が製造されたのち、縁４６、５４、１００、１１０、１１８および１２８によって画定された折れ線上で１８０度に折り曲げられ、封止帯１５４が、パネル７２、３２および８２に封止されて、図１５に示されるように、折り曲げられた箱体半加工品３０を形成する。代替として、封止帯１５４を省略することができ、パネル１３２、６２および１４２を封止テープのような他の手段によってパネル７２、３２および８２に封止する。さらに、折り曲げられた箱体半加工品を一体で作る代わりに、図２２に関して後述されるような、のちに一緒に封止される２つの部品で作ってもよい。
【００１５】
図５〜８は、１８０度の折り目線の形態を示す。各１８０度の折り目線は、約２インチのオーダーの間隔で１８０度の折り目線の対向する端部から延び、スリット１５８によって結合された第１および第２の圧縮された領域１５６を含む。各圧縮された領域１５６は、好ましくは楕円形状であり、標準的な荷造り用箱体段ボールパネルの場合、約３/８インチから約１/２インチのオーダーの最大幅を有する。図６に示されるように、各圧縮された領域１５６は、箱体半加工品３０の材料内に充分な間隔で延びるが、隣接するパネル部分は結合されたままである。好ましくは、突起１６０は、箱体半加工品３０の下表面から、各圧縮された領域１５６の実質的に中央線に沿って延びて、折れ線を画定する。図７に示されるように、各スリット１５８は、箱体半加工品３０を通って延びている。
【００１６】
図８は、箱体半加工品３０が、圧縮された領域１５６およびスリット１５８によって形成された１８０度の折り目線の結果として、１８０度折り曲げられ得る様子を示す。図８に示されるように、圧縮された領域１５６の結果として、１８０度折曲げが、箱体半加工品の材料に過度に応力をかけることなく、迅速に行なわれる。
【００１７】
図９〜１３は、箱体半加工品３０から形成された箱体１６２が、組み立てられ、かつ詰められたのちに閉じられる様子を示す。図９において、頂部パネル７２と１１２、ならびに第１および第２折込みパネル９２と１３２がそれらの対応する側部パネルおよび端部パネルから上方に延びている状態の箱体１６２が示されている。図１０は、折込みパネル９２および１３２が最初に１８０度の折り目線１５２上で折り曲げられたときの箱体１６２を示す。頂部パネル７２および１１２は、部分的に一緒に折り曲げられる。図１１は、折込みパネル１５２がさらに折り曲げられ、頂部パネル７２および１１２がさらに閉まって一緒に折り曲げられた状態の箱体１６２を示す。図１２は、完全に閉じた箱体１６２を示す。図１３は、頂部パネル７２および１１２が、たとえば封止テープ１６４によって一緒に封止された状態の閉じられた箱体１６２を示す。箱体１６２は、本発明の方法および装置を用いて閉じられ、封止され得る。代替として、所望であれば、箱体１６２は、手作業で、組立てとともに閉じられ、封止される。箱体１６２の手作業による組立ておよび閉止は、箱体を組み立てるために底部パネルのいずれか１つを単に押し、箱体を閉じるために頂部パネルのいずれか１つを単に押すことによって、迅速になされ得る。底部パネルまたは頂部パネルのいずれか１つの押圧により、底部パネルまたは頂部パネルのすべてを内側に折り曲げて閉じる。
【００１８】
図１４〜２１は、本発明の好ましい実施の形態に関連する箱体半加工品３０から箱体１６２を組み立てるための装置１６６を示す。装置１６６は、組立表面１６８を含む。多数の箱体半加工品３０が組立表面１６８の一方の端部に隣接して配設され、好ましくは図１４に示されるように縁で立っている。箱体１６２が組み立てられるとき、箱体半加工品３０の１つが、積み重なっているところから離され、図１５に示されるように組立表面１６８の上に落ちる。箱体半加工品３０は、ついで組立表面１６８の上に支持され、端部パネル６２が側部パネル３２と重なり、第３および第４折込パネル１３２および１４２が第１の頂部パネル７２および第１の底部パネル８２の部分にそれぞれ重なり、そして封止帯１５４が側部パネル３２、頂部パネル７２および底部パネル８２に封止される。所望であれば、図４の一体型の箱体半加工品３０よりむしろ、図２２に示されるように、箱体半加工品が２つの半加工品１６９で作製され得る。その場合、２つの半加工品１６９は、一方が他方の上に配置され、一方が他方に関して１８０度回転され、各半加工品の封止帯が他の半加工品に封止される。この構造は、ちょうど図１５に示されるような箱体半加工品３０を提供する。
【００１９】
図１４に示されるように、第１のアクチュエータ１７０は、組立表面１６８の一方の端部に隣接して配設され、第２のアクチュエータ１７４は、組立表面１６８の一方の側部に隣接して配設されている。多数の開口１７６を有する真空帯１７５は、アクチュエータ１７０および１７４から離れた組立表面１６８のコーナーに隣接する組立位置を画定する。開口１７６は、真空源（図示せず）に連結されている。図１６に示されるように、結合した縁３４および６６がアクチュエータ１７０に対向する組立表面１６８の端部に隣接するストッパ部材１７２に当接するまで、第１のアクチュエータ１７０が箱体半加工品３０を進行させる。ついで、図１７に示されるように、半加工品１７０の一方のコーナーが真空帯１７５の一部にある開口１７６に重なるように、第２のアクチュエータ１７４が半加工品３０をアクチュエータ１７０と直交する方向へ進行させる。ついで、開口１７４を通して吸引が与えられ、第４の折込みパネル１４２の下にある底部パネル８２を所定の位置にしっかりと保持する。第１のアクチュエータ１７０は進行し、さらに、半加工品を、それぞれの結合した縁３６〜４２、８０〜９８、９０〜１０８、４６〜５４、１００〜１１８、１１０〜１２８、５６〜６４、１２０〜１３８および１３０〜１４８によって画定された折れ線上で９０度に折り曲げ、部分的に組み立てられた箱体を図１８に示された位置へ持っていく。図１９に示されるように、ついで、開口１７６を通して吸引が続けられるあいだ、第２のアクチュエータ１７４が箱体半加工品をその進行方向へ進行させ、半加工品を、それぞれの結合した縁３８〜７４、４０〜８４、４８〜９４、５０〜１０４、５８〜１１４、６０〜１２４、６８〜１３４および７０〜１４４によって画定された折れ線上で９０度に折り曲げさせる。図１９に示されるように、これは、箱体１６２を組み立て、それを真空帯１７５のいくつかの開口１７６の上に位置付ける。図２０は、箱体１６２を、底部パネル８２および１２２を一緒に封止して箱体１６２の組立てを完成させる封止ユニット１７８、たとえば、テープ封止ユニットの上に移動させる真空帯１７５を示す。ついで、図２１は、第２の箱体半加工品３０が組立表面１６８の上へ離されるあいだに、詰め込むために搬送されている組み立てられた箱体１６２を示す。
【００２０】
図２３〜２８は、本発明の好ましい実施の形態に関連する詰められた箱体１６２の閉止を示す。詰められた箱体は、第１のコンベア１８０によって、箱体閉止装置１８４のコンベア１８２へ搬送される。上方に延びる一対のフレーム部材１８６は、コンベア１８２上のＶ形センタリング部材１８８を回転自在に支持する。図２４に示されるように、センタリング部材１８８は、フレーム部材１８６の上方端部に回転自在に取り付けられた上方端部を有する一対のアーム１９０を含む。アーム１９０の下方端部は、コンベア１８２の実質的に中央の上の一点で一緒に連結されている。詰められた容器１６２がコンベア１８２上を進行するにつれて、それは、センタリング部材１８８のアーム１９０のあいだの中央開口へ入る。容器１６２がさらに進行するにつれて、アーム１９０は、箱体１６２の頂部パネル１１２および１６２に接触する。最初の接触により、箱体１６２はコンベア１８２上で確実に実質的にセンタリングされる。図２５に示されるように、コンベア１８２上の容器１６２のさらなる移動によって、箱体１６２をセンタリング部材１８８の中央開口のさらに狭い部分へ入り込ませる。これにより、アーム１９０が頂部パネル７２および１１２を折り曲げ、結果的に、図１０、１１および２６に示されるように、折込みパネル９２および１３２を前方でしかも内側に折り曲げる。コンベア１８２上の箱体１６２の連続した移動により、図２７および２８に示されるように、箱体上の頂部パネル７２および１１２の完全な閉止を結果として生じ、図１２の閉じられた箱体を提供する。
【００２１】
センタリング部材１８８のＶ形形状は、箱体閉止装置１８４を種々の寸法の箱体で使用することを可能にする。箱体の高さまたは幅にもかかわらず、箱体がコンベア１８２上を進行するにつれて、その頂部パネル７２および１１２はアーム１９０に接触して閉じられる。
【００２２】
図２７に示されるように、箱体１６２が完全に閉じられるとすぐに、箱体は、封止装置１９２によって封止され得る。図２３に示されるように、封止装置１９２は、閉じられた箱体がコンベア１８２から移送されるコンベア１９４を含む。図２３は、コンベア１９４上の閉じられた箱体１６２ａを示す。閉止装置１９２は、センタリング部材１８８と同様のセンタリング部材１９８を回転自在に支持する一対のフレーム部材１９６を含む。また、センタリング部材１９８により、箱体１６２ａはコンベア１９４上で実質的に確実にセンタリングされる。支持部材１９６は、さらに、センタリング部材１９８の中央開口の上の封止アーム２００を回転自在に支持する。封止アーム２００は、テープまたは他の適した封止材料のリール２０２を回転自在に支持する。封止アーム２００は、第１の封止ローラ２０４で終わり、第２の封止ローラ２０８を支持するアーム２０６を回転自在に支持する。リール２０２からのテープ２１０は、図２３に示されるように、ローラ２０８および２０４回りで箱体１６２ａの先頭の端部パネル６２の上を包む。箱体１６２ａがコンベア１９４上を進行するにつれて、封止アーム２００は、上方へ回転し、封止ローラ２０４および２０８を閉じられた箱体１６２の頂部表面の上へ持っていく。図２５に示されるように、これは、テープを箱体１６２ａの頂部パネル７２および１１２の結合部に沿って付与する。コンベア１９４上の箱体１６２ａのさらなる移動は、図２７に示されるように、ローラ２０４および２０８を箱体１６２ａの第２の端部パネル４２を下がって進行する結果を生じさせる。封止機構は、箱体１６２ａが完全に封止されるとすぐにテープを切断するためにアーム２０６の図２７の位置への移動によって駆動されるブレードまたは他の適した手段を含むことができる。
【００２３】
図２９は、頂部パネル７２および１１２が閉じられたときに、帯がパネル７２を接着して、箱体を封止するように、頂部パネル１１２に貼付された封止テープの帯２１２を有する箱体１６２ａの代わりの実施の形態を示す。この実施の形態では、封止装置１９２は不要である。
【００２４】
迅速に組み立てられ、閉じられ、および封止され得る改良された箱体半加工品、ならびに箱体を組み立て、閉止および封止のための改良された方法および装置を提供するために、本発明はこのように示されている。本発明は好ましい実施の形態を参照しながら記載されているが、再構成、改変および置換はなされ得るものであり、その結果物はまだ本発明の範囲内にある。
【図面の簡単な説明】
【００２５】
【図１】開いた従来技術の箱体を示す図である。
【図２】図１の箱体が組み立てられ得る箱体の半加工品を示す図である。
【図３】閉じた状態の図１の箱体を示す図である。
【図４】本発明における箱体の半加工品の最初の好ましい実施例を示す図である。
【図５】図４の領域５−５の拡大した部分を示す図である。
【図６】図５の線６−６上の断面を示す図である。
【図７】図５の線７−７上の断面を示す図である。
【図８】。本発明における箱体の半加工品においてなされた１８０度折り曲げの部分を示す図である
【図９】本発明の箱体を閉めるときのさまざまな段階を示す図である。
【図１０】本発明の箱体を閉めるときのさまざまな段階を示す図である。
【図１１】本発明の箱体を閉めるときのさまざまな段階を示す図である。
【図１２】本発明の箱体を閉めるときのさまざまな段階を示す図である。
【図１３】本発明の箱体を閉めるときのさまざまな段階を示す図である。
【図１４】本発明の箱体を組み立てるための方法および装置の好ましい実施の形態を示した図である。
【図１５】本発明の箱体を組み立てるための方法および装置の好ましい実施の形態を示した図である。
【図１６】本発明の箱体を組み立てるための方法および装置の好ましい実施の形態を示した図である。
【図１７】本発明の箱体を組み立てるための方法および装置の好ましい実施の形態を示した図である。
【図１８】本発明の箱体を組み立てるための方法および装置の好ましい実施の形態を示した図である。
【図１９】本発明の箱体を組み立てるための方法および装置の好ましい実施の形態を示した図である。
【図２０】本発明の箱体を組み立てるための方法および装置の好ましい実施の形態を示した図である。
【図２１】本発明の箱体を組み立てるための方法および装置の好ましい実施の形態を示した図である。
【図２２】本発明の箱体の半加工品の第２の好ましい実施の形態を示す図である。
【図２３】本発明の箱体を閉じ、および封止するための方法ならびに装置の好ましい実施の形態を示す図である。
【図２４】本発明の箱体を閉じ、および封止するための方法ならびに装置の好ましい実施の形態を示す図である。
【図２５】本発明の箱体を閉じ、および封止するための方法ならびに装置の好ましい実施の形態を示す図である。
【図２６】本発明の箱体を閉じ、および封止するための方法ならびに装置の好ましい実施の形態を示す図である。
【図２７】本発明の箱体を閉じ、および封止するための方法ならびに装置の好ましい実施の形態を示す図である。
【図２８】本発明の箱体を閉じ、および封止するための方法ならびに装置の好ましい実施の形態を示す図である。
【図２９】本発明の箱体の代替の実施の形態を示す図である。